(57)【特許請求の範囲】
【請求項１】
過電流が流れたとき可動鉄心を吸引する電磁コイルと、操作ハンドルによりオン・オフする主接点と、その主接点がオン状態において上記可動鉄心が吸引されたとき主接点を強制的にオフに戻す掛け外し機構が主ハウジング内に収容された回路遮断器において、上記主ハウジングの前面側に操作ハンドルが設けられるとともに、その背面側に開口部が形成され、また、先端に主端子を設けたリード金具が主ハウジングの上面及び下面にそれぞれ導出され、さらに、上記主ハウジングの上面、下面及び背面に隣接して密着し、上記リード金具を介して連結された補助ハウジングが設けられてなり、上記補助ハウジングには、補助回路を収容可能な空間が上記主ハウジングの開口部に連通して形成されるとともに、補助回路からの補助端子を主ハウジングの上面側および下面側にそれぞれ導出する補助端子導出部が設けられたことを特徴とする回路遮断器。
【請求項２】
上記主ハウジングおよび補助ハウジングは、その厚み方向の中央で二分割される構造であり、上記リード金具は上記厚み方向を幅方向とする略帯状部材であって、二分割されたハウジングにより挾持されている、請求項１に記載の回路遮断器。
【請求項３】
上記リード金具を上記主ハウジングの厚み方向から見た形状が、上記電磁コイルと上記主接点の直列接続回路の一端から上記主ハウジングの背面側へ伸びる第１節と、その第１節の後端で外側へ直角に屈折して伸びる第２節と、その第２節の外端で上記主ハウジングの前面側へ直角に屈折して伸びる第３節と、その第３節の前端で外方へ直角に屈折して伸びる第４節により形成されるクランク状である、第１項または第２項記載の回路遮断器。
【請求項４】
上記電磁コイルと上記主接点が直列接続され、上記補助端子導出部の一つに補助端子を設けるとともに、その補助端子が上記電磁コイルと主接点の接続点に接続されている、請求項１または２に記載の回路遮断器。
【請求項５】
上記主接点が上記主端子に接続され、上記各補助端子導出部にそれぞれ補助端子を設けるとともに、その補助端子が上記電磁コイルに接続されている、請求項１または２に記載の回路遮断器。
【発明の詳細な説明】
【０００１】
【産業上の利用分野】
本発明は、電気回路に過大電流が流れたとき事故を未然に防ぐために瞬時に回路を遮断する回路遮断器（サーキット・プロテクタ）に関する。
【０００２】
【従来の技術】
回路遮断器は、例えば図７に示すように、過電流が流れたとき可動鉄心を吸引する電磁コイル１と、操作ハンドル３によりオン・オフする主接点２と、その主接点がオン状態において上記可動鉄心が吸引されたとき主接点を強制的に（ばねの復元力により）オフに戻す掛け外し機構（トリップ）４を有し、通常は電磁コイル１と主接点２が直列接続されて二端子回路を構成し、その端子６、７はハウジング背面５から突出している。
【０００３】
回路遮断器はその用途に応じて補助接点等を付加して使用される。その用い方により回路構成と端子数が変化する。これを図８を参照して簡単に説明する。（Ａ）は、図１に示したコイル１と主接点２の直列回路のみより成り補助回路が付加されないタイプで、シリーズトリップ型と呼ばれており端子数は「２」である。（Ｂ）は、直列回路の主接点２と連動する切換型補助接点７が付加されたタイプで補助接点付シリーズトリップ型と呼ばれ、端子数は「５」である。（Ｃ）は、コイル１と主接点２の接続点から外部端子が導出されたタイプで、シャントトリップ型と呼ばれ、端子数は「３」である。（Ｄ）は、コイル１と主接点２のそれぞれから外部端子が導出されたタイプで、リレートリップ型と呼ばれ、端子数は「４」である。
【０００４】
この種の回路遮断器を制御盤等に配設して使用する場合、通常は、補修作業の能率等を考慮して、プラグ状端子にリード線を直接半田づけすることをせず、ソケットＸを用い、ソケット端子にリード線を接続して制御回路網を構成し、回路遮断器が不良になったときは、直ちに新品と交換できるようになっている。従って、端子数が「２」「３」「４」「５」と異る場合、それぞれに適合したソケットを必要とした。
【０００５】
このソケットＸは、図１に鎖線で示すように、操作ハンドル側から見た背面の更に背後に付加されるため奥行が長大になる欠点があり、ソケット自体を強固に保持しなければならないため、制御盤等の架台構造が煩雑になるという欠点があった。
【０００６】
【発明が解決しようとする課題】
これに対し本発明は、背面に突出するプラグ状外部端子をなくし、その結果ソケットが不要となり、図８に例示した各種変形回路に対し共通した主ハウジングと補助ハウジングを用いることによりハウジング成形用の金型を共通化し、全体として製造コストを大幅に低減するとともに前後方向の寸法を短小化した回路遮断器の提供を解決課題とする。
【０００７】
【課題を解決するための手段】
本発明の回路遮断器は、過電流が流れたとき可動鉄心を吸引する電磁コイルと、操作ハンドルによりオン・オフする主接点と、その主接点がオン状態において上記可動鉄心が吸引されたとき主接点を強制的にオフに戻す掛け外し機構が主ハウジング内に収容された回路遮断器において、上記主ハウジングの前面側に操作ハンドルが設けられるとともに、その背面側に開口部が形成され、また、先端に主端子を設けたリード金具が主ハウジングの上面及び下面にそれぞれ導出され、さらに、上記主ハウジングの上面、下面及び背面に隣接して密着し、上記リード金具を介して連結された補助ハウジングが設けられてなり、上記補助ハウジングには、補助回路を収容可能な空間が上記主ハウジングの開口部に連通して形成されるとともに、補助回路からの補助端子を主ハウジングの上面側および下面側にそれぞれ導出する補助端子導出部が設けられたことを特徴とする。
【０００８】
本発明の主ハウジングと補助ハウジングは、その厚み方向の中央で二分割される構造であり、上記リード金具は上記厚み方向を幅方向とする略帯状部材であって、二分割されたハウジングにより挾持されている構成であることが好ましい。
【０００９】
【作用】
主接点のリード金具を主ハウジングの上面及び下面へ導出し、主ハウジングの背面に補助ハウジングを隣接させることにより、主ハウジングの背面に形成された開口部を補助ハウジング内空間に連通させることが可能になる。従って、補助ハウジング内に収容される補助接点、補助回路等と、主ハウジング内の掛け外し機構（トリップ）または主接点回路とを電気的または機械的に接合させることが可能になる。
【００１０】
【実施例】
図１に本発明の一実施例のハウジングを外した状態の右側面図を示し、図２に、その分解図を示し、図３に、この実施例のハウジングを着けた状態の平面図を示す。この実施例は図（Ａ）に示したシリーズトリップ型である。
【００１１】
主ハウジング１０は全体として扁平な箱体であって、図２に示すように、厚み方向の中央で二分割され、前面側に操作ハンドル３が設けられ、電磁コイル、主接点、掛け外し機構等を内蔵している。従来技術と異る特徴点は、背面中央部（図２参照）に開口部が形成されていることと、電磁コイルのリード金具１２が背面から外側へ突出せず、クランク状に屈折して下面に導出されていることと、主接点のリード金具１３が背面から外側へ突出せず、クランク状に屈折して上面に導出されていること、並びに、リード金具１２、１３の先端がプラグでなく、ビスナットを備えた端子１４、１５が設けられていることである。
【００１２】
さらに注目すべきことは、リード金具１２、１３が主ハウジング１０の隅部の輪郭とわずか（１〜２mm）の間隔１６、１７を保って屈折しており、その間隔１６、１７に補助ハウジング１１が貫入していることである。その結果、主ハウジング１０と補助ハウジング１１が、ビス、スナップ機構、接着等の固着手段を用いることなく、リード金具１２、１３を介在して連結される。
【００１３】
補助ハウジング１１は、主ハウジング１０の上面、下面及び背面に隣接して密着し、全体として扁平なコ字形である。主ハウジング１０と補助ハウジング１１の厚みは、図３に示すように等しく、補助ハウジング１１も主ハウジング１０と同様に厚み方向の中央で二分割される。補助ハウジング内には、補助回路を収容する空間１８が形成されており、この空間１８を主ハウジング内と連通させる開口部１９、補助端子を外側へ導出させる補助端子導出部２０、２１が設けられている。さらに、この補助端子導出部２０、２１の両側に、ハウジングの側面に開口するカギ形の凹所２２Ａ、２２Ｂ、および２３Ａ、２３Ｂが形成されており、このカギ形凹所に補助端子台をはめ込み保持することができる。
【００１４】
本発明のリード金具１２または１３をハウジング１０または１１の厚み方向から見た形状、すなわちクランク状を詳述すると、図４に示す通り、電磁コイル１と主接点２の直列接続回路の一端３１から後方へ伸びる第１節３２と、その第１節３２の後端で外側へ直角に屈折して伸びる第２節３３と、その第２節３３の外端で前方へ直角に屈折して伸びる第３節３４と、その第３節３４の前端で外方へ直角に屈折して伸びる第４節３５により形成され、この第４節３５に主端子１４または１５が設けられる。第１節３２後端部をのぞくその大部分は主ハウジング１０により保持され、その余の部分は補助ハウジング１１により保持されている。
【００１５】
この第１節３２と第３節３４が主ハウジング１０と補助ハウジング１１を上下方向で挾持し、一端３１と第２節３３が両ハウジング１０、１１を前後方向で挾持している。
【００１６】
図５に、シャントトリップ型の実施例の分解図を示す。補助ハウジング１１の補助端子導出部２０に補助端子台２４が付加され、この補助端子のリード金具２５と主接点２の可動接点に接続されるコイル１の一端がリード線２６により接続されている。
【００１７】
図６に、リレートリップ型の実施例の分解図を示す。補助ハウジング１１の補助端子導出部２０、２１にそれぞれ補助端子台２４、２７が付加され、補助端子のリード金具２５がコイル１の一端にリード線２６により接続され、もう一つのリード金具２８が主接点２の可動接点にリード線２９により接続されている。
【００１８】
【発明の効果】
本発明によれば、共通した形状、構造の主ハウジングと、補助ハウジングを用いて端子数の異なる各種の変形回路に対応することができ、端子数に応じて異なるソケットを必要とした従来例に比べて、製造コストが大幅に低減した。また、ソケットが不要となり、しかも端子がハウジングの上面及び下面に導出されるので、前後方向の寸法が短小化された。
【００１９】
さらに、クランク状に屈折したリード金具を、二分割された主ハウジングと補助ハウジングが厚み方向の両側から挟み込むとともに、リード金具の屈折部が主ハウジングと補助ハウジングの隣接部を挟み込んでいるため、主ハウジングと補助ハウジングの連結具が不要となる。
【図面の簡単な説明】
【図１】は、本発明実施例のハウジングの片側を外した状態の右側面図である。
【図２】は、図１に示す組立状態から、補助ハウジング１１を分解した分解図である。
【図３】は、図１に示す実施例の平面図である。
【図４】は、本発明の主端子リード金具１２の拡大図である。
【図５】は、本発明の他の実施例を示す分解図である。
【図６】は、本発明のさらに他の実施例を示す分解図である。
【図７】は、従来例のハウジングの片側を外した状態の右側面図である。
【図８】は、回路遮断器の各種タイプの回路図である。
【符号の説明】
１‥‥電磁コイル
２‥‥主接点
３‥‥操作ハンドル
４‥‥掛け外し機構
１０‥‥主ハウジング
１１‥‥補助ハウジング
１２、１３‥‥主端子のリード金具
１４、１５‥‥主端子
１８‥‥補助ハウジング内の空間
１９‥‥ハウジング間の開口部
２０、２１‥‥補助端子導出部
３２‥‥第１節
３３‥‥第２節
３４‥‥第３節
３５‥‥第４節
【図１】
0003764913.tif 000002
【図２】
0003764913.tif 000003
【図３】
0003764913.tif 000004
【図４】
0003764913.tif 000005
【図５】
0003764913.tif 000006
【図６】
0003764913.tif 000007
【図７】
0003764913.tif 000008
【図８】
0003764913.tif 000009